(57)【要約】【課題】電気便座一体型便器をネットワーク連携させる技術を提供する。【解決手段】電気便座一体型便器１０では、電気便座部３１０と便器部３１２とが一体となっている。通信部３００は、所定の通信プロトコルにしたがって、通信対象となる装置との通信を行う。通信部３００は、電気便座一体型便器の機器クラスに対応するプロパティの情報の設定を要求する設定要求、あるいは電気便座一体型便器の機器クラスに対応するプロパティの情報の読み出しを要求する読み出し要求を通信対象となる装置から受信する。【選択図】図２
2019090169.tif 000002
【特許請求の範囲】
【請求項１】
電気便座部と便器部とが一体となった電気便座一体型便器であって、
所定の通信プロトコルにしたがって、通信対象となる装置との通信を行う通信部を備え、
前記通信部は、前記電気便座一体型便器の機器クラスに対応するプロパティの情報の設定を要求する設定要求、あるいは前記電気便座一体型便器の機器クラスに対応するプロパティの情報の読み出しを要求する読み出し要求を前記通信対象となる装置から受信することを特徴とする電気便座一体型便器。
【請求項２】
前記通信部は前記読み出し要求を受信し、
前記通信部は、前記通信部において受信した前記読み出し要求をもとに、前記電気便座部および前記便器部の少なくとも一方のプロパティの情報を送信することを特徴とする請求項１に記載の電気便座一体型便器。
【請求項３】
前記電気便座部および前記便器部の少なくとも一方を制御する制御部をさらに備えることを特徴とする請求項１または２に記載の電気便座一体型便器。
【請求項４】
前記通信部は前記設定要求を受信し、
前記制御部は、前記通信部において受信した前記設定要求をもとに、前記電気便座部および前記便器部の少なくとも一方を制御することを特徴とする請求項３に記載の電気便座一体型便器。
【請求項５】
前記制御部は、前記電気便座部および前記便器部の少なくとも一方における状態の変化を受けつけ、
前記通信部は、前記制御部が受けつけた状態の変化に関する変化情報を送信することを特徴とする請求項３または４に記載の電気便座一体型便器。
【請求項６】
電気便座部と便器部とが一体となった電気便座一体型便器に接続可能な通信装置であって、
所定の通信プロトコルにしたがって、通信対象となる装置との通信を行う通信部を備え、
前記通信部は、前記電気便座一体型便器の機器クラスに対応するプロパティの情報の設定を要求する設定要求、あるいは前記電気便座一体型便器の機器クラスに対応するプロパティの情報の読み出しを要求する読み出し要求を前記通信対象となる装置から受信することを特徴とする通信装置。
【請求項７】
所定の通信プロトコルにしたがって、電気便座部と便器部とが一体となった電気便座一体型便器に接続に接続された装置であって、かつ通信対象となる装置との通信を行う通信部を備え、
前記通信部は、前記電気便座一体型便器の機器クラスに対応するプロパティの情報の設定を要求する設定要求、あるいは前記電気便座一体型便器の機器クラスに対応するプロパティの情報の読み出しを要求する読み出し要求を前記通信対象となる装置に送信することを特徴とする通信装置。
【請求項８】
電気便座部と便器部とが一体となった電気便座一体型便器におけるプログラムであって、
所定の通信プロトコルにしたがって、通信対象となる装置との通信を行うステップを備え、
前記通信を行うステップは、前記電気便座一体型便器の機器クラスに対応するプロパティの情報の設定を要求する設定要求、あるいは前記電気便座一体型便器の機器クラスに対応するプロパティの情報の読み出しを要求する読み出し要求を前記通信対象となる装置から受信することをコンピュータに実行させるためのプログラム。
【請求項９】
所定の通信プロトコルにしたがって、電気便座部と便器部とが一体となった電気便座一体型便器に接続に接続された装置であって、かつ通信対象となる装置との通信を行うステップを備え、
前記通信を行うステップは、前記電気便座一体型便器の機器クラスに対応するプロパティの情報の設定を要求する設定要求、あるいは前記電気便座一体型便器の機器クラスに対応するプロパティの情報の読み出しを要求する読み出し要求を前記通信対象となる装置に送信することをコンピュータに実行させるためのプログラム。
【発明の詳細な説明】
【技術分野】
【０００１】
本発明は、通信を実行する電気便座一体型便器、通信装置、プログラムに関する。
【背景技術】
【０００２】
電力制御システム（ＥＭＳ：Ｅｎｅｒｇｙ  Ｍａｎａｇｅｍｅｎｔ  Ｓｙｓｔｅｍ）は、電力の需要家施設に設けられ、複数の機器を制御する機器制御装置を備える。複数の機器と機器制御装置との間のメッセージフォーマットは共通化される。共通化されたメッセージフォーマットにより、燃料電池も制御可能である（例えば、特許文献１参照）。
【先行技術文献】
【特許文献】
【０００３】
【特許文献１】特開２０１７−１１９９４号公報
【発明の概要】
【発明が解決しようとする課題】
【０００４】
機器制御装置が複数の機器を制御するために、電力制御システムに通信プロトコルが導入される。通信プロトコルの１つであるＥＣＨＯＮＥＴ  Ｌｉｔｅ（登録商標）は、機器の種別ごとに機器クラスを規定し、機器が持つ情報および制御対象をプロパティとして機器クラスごと規定する。電力制御システムは、電力会社等からの電力の供給を受けている施設である需要家内に設置される。このような需要家内には電気便座一体型便器も設置される。電気便座一体型便器の利便性を向上させるためには、電気便座一体型便器をネットワーク連携させる方が望ましい。
【０００５】
本発明はこうした状況に鑑みなされたものであり、その目的は、電気便座一体型便器をネットワーク連携させる技術を提供することにある。
【課題を解決するための手段】
【０００６】
上記課題を解決するために、本発明のある態様の電気便座一体型便器は、電気便座部と便器部とが一体となった電気便座一体型便器であって、所定の通信プロトコルにしたがって、通信対象となる装置との通信を行う通信部を備える。通信部は、電気便座一体型便器の機器クラスに対応するプロパティの情報の設定を要求する設定要求、あるいは電気便座一体型便器の機器クラスに対応するプロパティの情報の読み出しを要求する読み出し要求を通信対象となる装置から受信する。
【０００７】
本発明の別の態様は、通信装置である。この装置は、電気便座部と便器部とが一体となった電気便座一体型便器に接続可能な通信装置であって、所定の通信プロトコルにしたがって、通信対象となる装置との通信を行う通信部を備える。通信部は、電気便座一体型便器の機器クラスに対応するプロパティの情報の設定を要求する設定要求、あるいは電気便座一体型便器の機器クラスに対応するプロパティの情報の読み出しを要求する読み出し要求を通信対象となる装置から受信する。
【０００８】
本発明のさらに別の態様もまた、通信装置である。この装置は、所定の通信プロトコルにしたがって、電気便座部と便器部とが一体となった電気便座一体型便器に接続に接続された装置であって、かつ通信対象となる装置との通信を行う通信部を備える。通信部は、電気便座一体型便器の機器クラスに対応するプロパティの情報の設定を要求する設定要求、あるいは電気便座一体型便器の機器クラスに対応するプロパティの情報の読み出しを要求する読み出し要求を通信対象となる装置に送信する。
【０００９】
なお、以上の構成要素の任意の組合せ、本発明の表現を方法、装置、システム、コンピュータプログラム、またはコンピュータプログラムを記録した記録媒体などの間で変換したものもまた、本発明の態様として有効である。
【発明の効果】
【００１０】
本発明によれば、電気便座一体型便器をネットワーク連携させることができる。
【図面の簡単な説明】
【００１１】
【図１】実施例に係る通信システムの構成を示す図である。
【図２】図１の電気便座一体型便器と端末装置の構成を示す図である。
【図３】図１の通信システムにおいて使用されるメッセージのフォーマットを示す図である。
【図４】図１の通信システムにおいて規定されるプロパティのデータ構造を示す図である。
【図５】図２の記憶部に記憶される管理テーブルのデータ構造を示す図である。
【図６】図６（ａ）−（ｃ）は、図１の通信システムにおいて規定される別のプロパティのデータ構造を示す図である。
【図７】図１の通信システムによる通信手順を示すシーケンス図である。
【図８】図８（ａ）−（ｂ）は、図１の通信システムによる別の通信手順を示すシーケンス図である。
【図９】図９（ａ）−（ｂ）は、図１の通信システムによるさらに別の通信手順を示すシーケンス図である。
【図１０】変形例に係る通信システムの構成を示す図である。
【発明を実施するための形態】
【００１２】
本発明の実施例を具体的に説明する前に、本実施例の概要を説明する。実施例は、住宅等の需要家内に設置される通信システムに関する。通信システムは、これまでと同様にＥＭＳに使用されてもよいが、ここでは、特に、電気便座一体型便器を接続する。通信システムに電気便座一体型便器を接続することによって、スマートフォン等の端末装置を使用して、電気便座一体型便器から情報を読み出したり、電気便座一体型便器に情報を設定したりすることが可能になる。このような通信システムの通信プロトコルとして、例えばＥＣＨＯＮＥＴ  Ｌｉｔｅ（登録商標）の使用が想定される。ＥＣＨＯＮＥＴ  Ｌｉｔｅ（登録商標）は、ＯＳＩ参照モデルの第５層および第６層に相当する通信ミドルウェアの仕様を規定する。また、ＥＣＨＯＮＥＴ  Ｌｉｔｅ（登録商標）は、機器の種別ごとに機器クラスを規定し、当該機器に関するパラメータをプロパティとして機器クラスごとに規定する。
【００１３】
このような機器クラスの共通（標準）化はＥＭＳの普及に効果的である。温水洗浄便座、暖房便座が含まれた単独の電気便座については、上述機器クラスの共通（標準）化が行われている。しかしながら、電気便座一体型便器については、機器クラスの共通（標準）化がされておらず、これを実現するために、電気便座クラスにユーザ定義プロパティとして拡張する必要がある。この場合、システム初期状態において、通信システムに含まれる制御装置あるいはゲートウェイは、機器クラスを直接的に検出できない。そのため、制御装置あるいはゲートウェイは、電気便座の機器クラスを検出した後、製品品番プロパティ等の情報を取得して、予め保持している製品番号と機器クラスの対応テーブルを参照することによって、電気便座一体型便器を識別する必要がある。本実施例では、電気便座一体型便器をネットワーク連携させるために、電気便座一体型便器の機器クラスを規定する。
【００１４】
図１は、通信システム１００の構成を示す。通信システム１００は、電気便座一体型便器１０、端末装置１２、他機器１４、ルータ１６を含む。ルータ１６は、住宅等の需要家内に設置される。ルータ１６には、電気便座一体型便器１０、端末装置１２、他機器１４が接続される。電気便座一体型便器１０、端末装置１２、他機器１４は、いずれも通信機能、例えば、無線ＬＡＮ等の無線通信機能あるいは有線通信機能を備える。このような構成によって、電気便座一体型便器１０は、ルータ１６を介して端末装置１２からアクセスされる。また、他機器１４は、例えば、太陽光発電装置、蓄電池装置である。ここでは、それぞれ１つの電気便座一体型便器１０、端末装置１２、他機器１４が示されるが、これらの数は「１」に限定されない。また、電気便座一体型便器１０、他機器１４は機器と総称される。
【００１５】
図２は、電気便座一体型便器１０と端末装置１２の構成を示す。電気便座一体型便器１０は、通信部３００、制御部３０２、電気便座部３１０、便器部３１２を含み、電気便座部３１０は、おしり洗浄機能実行部３２０、温水機能実行部３２２、電気便座用センサ３２４を含み、便器部３１２は、洗浄機能実行部３３０、自動便器洗浄機能実行部３３２、便器用センサ３３４を含む。端末装置１２は、通信部２００、処理部２０２、操作部２０４、表示部２０６、記憶部２０８を含む。ここでは、説明を明瞭にするために、図１の他機器１４、ルータ１６を省略する。電気便座一体型便器１０は、電気便座部３１０と便器部３１２とが一体となって構成される。電気便座部３１０では、おしり、ビデ洗浄、乾燥機能等が実行され、便器部３１２では、大洗浄、小洗浄機能等が実行される。電気便座部３１０と便器部３１２には、各種機能を実現するための制御回路およびセンサ回路が含まれる。
【００１６】
以下では、（１）初期登録、（２）プロパティ値の設定、（３）プロパティ値の読み出し、（４）状態変化によるイベント通知、（５）プロパティ情報の具体例の順に説明する。
（１）初期登録
初期登録とは、端末装置１２から機器へのアクセスを可能にするために、端末装置１２において機器を登録するための処理である。本実施例において機器は電気便座一体型便器１０であるとする。この処理登録は、後述する（２）プロパティ値の設定、（３）プロパティ値の読み出し、（４）状態変化によるイベント通知を実行する前になされる。
【００１７】
端末装置１２の操作部２０４は、タッチパネル、ボタン等により構成されており、端末装置１２を使用するユーザによる操作を受けつける。操作部２０４は、ユーザからの操作を処理部２０２に出力する。表示部２０６は、液晶ディスプレイ、有機ＥＬ（Ｅｌｅｃｔｒｏ  Ｌｕｍｉｎｅｓｃｅｎｃｅ）ディスプレイ等により構成されており、処理部２０２からの情報、画像を受けつけ、情報、画像を表示する。なお、操作部２０４がタッチパネルである場合、操作部２０４と表示部２０６とは一体的に構成される。処理部２０２は、操作部２０４からの操作を受けつけるとともに、表示部２０６に情報、画像を出力する。また、処理部２０２は、通信部２００との間で、これらを入出力する。
【００１８】
表示部２０６において初期登録の設定画面が表示されている場合において、ユーザが、操作部２０４を使用して初期登録の実行を指示する。これは、ユーザによる機器の検索操作ともいえる。処理部２０２は、操作部２０４から受けつけた指示に応じて、電気便座一体型便器の機器クラスを有する機器に対して、機器ＩＤプロパティを要求するためのメッセージを送信することを通信部２００に指示する。なお、機器ＩＤとは、通信システム１００内で機器を一意に特定するための情報である。
【００１９】
通信部２００は、処理部２０２からの指示に応じたメッセージの生成、メッセージの送受信、受信したメッセージの解析を実行する。ここでは、まずメッセージのフォーマットを説明する。図３は、通信システム１００において使用されるメッセージのフォーマットを示す。メッセージは、ＩＰアドレス、送信元クラスＩＤ、送信先クラスＩＤ、コマンド種別、プロパティ情報を先頭から順に配置する。ＩＰ（Ｉｎｔｅｒｎｅｔ  Ｐｒｏｔｏｃｏｌ）アドレスには、送信元のＩＰアドレスと送信先のＩＰアドレスが含まれる。送信元クラスＩＤは、送信元の機器クラスを識別するためのＩＤであり、送信先クラスＩＤは、送信先の機器クラスを識別するためのＩＤである。
【００２０】
コマンド種別は、後述のプロパティ値に対する操作内容を識別するための情報である。コマンド種別には、例えば、プロパティ値の設定要求である「Ｓｅｔ」、あるいはプロパティ値の読み出し要求である「Ｇｅｔ」等が設定される。プロパティ情報には、プロパティＩＤとプロパティ値との組合せが１つ以上含まれる。プロパティＩＤは、プロパティを識別するためのＩＤであり、プロパティ値は、当該プロパティＩＤに対する値である。このプロパティＩＤによって識別されるプロパティは、機器クラスごとに規定される。また、プロパティＩＤとプロパティ値との組合せの数がプロパティ数に示される。図２に戻る。
【００２１】
通信部２００は、処理部２０２からの指示に応じて、機器ＩＤプロパティのメッセージを生成する際、通信システム１００に含まれるすべての機器に対して問合せを行うために、送信先のＩＰアドレスにマルチキャストアドレスを設定する。また、通信部２００は、送信先クラスＩＤに、電気便座一体型便器の機器クラスを設定し、コマンド種別に、プロパティ値の読み出し要求である「Ｇｅｔ」を設定する。ここで、機器ＩＤプロパティは図４のように示される。図４は、通信システム１００において規定されるプロパティのデータ構造を示す。これは、機器ＩＤプロパティを示す。プロパティ値には機器ＩＤが設定されるが、この段階においては機器ＩＤが未知であるので、プロパティ値にはダミー値が設定される。図２に戻る。
【００２２】
これに続いて、通信部２００は、所定の通信プロトコルにしたがって、通信システム１００に含まれる各機器との通信を行う。所定の通信プロトコルの一例は、前述のごとく、ＥＣＨＯＮＥＴ  Ｌｉｔｅ（登録商標）である。ここでは、機器ＩＤプロパティのメッセージをマルチキャスト送信する。
【００２３】
電気便座一体型便器１０の通信部３００は、通信部２００と同様に、所定の通信プロトコルにしたがって、通信システム１００に含まれる各機器との通信を行う。また、通信部３００は、メッセージの送受信、受信したメッセージの解析、送信すべきメッセージの生成を実行する。なお、通信部３００が受信するメッセージを「要求メッセージ」と呼び、通信部３００が送信するメッセージを「応答メッセージ」と呼ぶこともある。さらに、通信部３００は、クラスＩＤとして電気便座一体型便器の機器クラスを保持するとともに、機器ＩＤをプロパティ値として保持する。
【００２４】
通信部３００は、端末装置１２から受信した要求メッセージに含まれたプロパティ情報をもとに、プロパティＩＤおよびプロパティ値を特定する。また、通信部３００は、要求メッセージに含まれたコマンド種別をもとに、プロパティ値に対する操作内容を識別する。具体的に説明すると、通信部３００は、端末装置１２から受信した要求メッセージにおけるにおけるプロパティＩＤから機器ＩＤプロパティを特定する。また、通信部３００は、要求メッセージにおけるコマンド種別から、プロパティ値の読み出し要求であることを識別する。
【００２５】
これに応じて、通信部３００は、電気便座一体型便器１０の機器ＩＤプロパティのプロパティ値を取得し、当該プロパティ値を格納した応答メッセージを生成する。応答メッセージにおける送信元のＩＰアドレスには、電気便座一体型便器１０のＩＰアドレスが設定され、送信先のＩＰアドレスには、端末装置１２のＩＰアドレスが設定される。また、送信元クラスＩＤには、電気便座一体型便器の機器クラスが設定され、プロパティ情報のプロパティＩＤには「０ｘ００」が設定される。通信部３００は、応答メッセージを端末装置１２に送信する。なお、通信部３００は、電気便座一体型便器１０に外付けされていてもよい。
【００２６】
端末装置１２の通信部２００は、電気便座一体型便器１０からの応答メッセージを受信する。通信部２００は、応答メッセージに含まれたプロパティ情報をもとに、プロパティＩＤおよびプロパティ値を特定する。具体的に説明すると、通信部２００は、電気便座一体型便器１０から受信した応答メッセージにおけるプロパティＩＤから機器ＩＤプロパティを特定し、プロパティ値から機器ＩＤプロパティのプロパティ値を特定する。通信部２００は、電気便座一体型便器１０の機器ＩＤと、応答メッセージにおける送信元のＩＰアドレスとを処理部２０２に出力する。
【００２７】
処理部２０２は、通信部２００から受けつけた電気便座一体型便器１０の機器ＩＤを表示部２０６に表示させる。ユーザは、表示部２０６に表示された機器ＩＤを確認し、これに対応した機器の名称を操作部２０４により入力する。処理部２０２は、操作部２０４において受けつけた機器の名称と、機器ＩＤと、通信部２００から受けつけたＩＰアドレスとを対応づけて、記憶部２０８の管理テーブルに記憶させる。図５は、記憶部２０８に記憶される管理テーブルのデータ構造を示す。管理テーブルには、図示のごとく、機器ＩＤ、機器名称、ＩＰアドレスの組合せが記憶される。図２に戻る。
【００２８】
（２）プロパティ値の設定
ユーザは、端末装置１２の表示部２０６に表示された画面を見ながら、操作部２０４を使用して、電気便座一体型便器１０に設定すべき内容を入力する。この入力において、電気便座一体型便器１０の機器ＩＤも特定される。処理部２０２は、操作部２０４から受けつけた内容に応じて、電気便座一体型便器１０に対して、プロパティ値の設定を要求するための要求メッセージを送信することを通信部２００に指示する。その際、処理部２０２は、操作部２０４から受けつけた機器ＩＤをもとに記憶部２０８の管理テーブルを検索することによって、電気便座一体型便器１０のＩＰアドレスを取得し、これも通信部２００に出力する。
【００２９】
通信部２００は、処理部２０２からの指示に応じて、プロパティ値の設定を要求するための要求メッセージを生成する際、処理部２０２から受けつけたＩＰアドレスを送信先のＩＰアドレスに設定する。また、通信部２００は、送信先クラスＩＤに、電気便座一体型便器の機器クラスを設定し、コマンド種別に、プロパティ値の設定要求である「Ｓｅｔ」を設定する。さらに、通信部２００は、設定対象となるプロパティＩＤおよび設定内容となるプロパティ値も設定するが、これらについては後述する。これに続いて、通信部２００は、電気便座一体型便器の機器クラスに対応するプロパティ値の設定を要求する設定要求が含まれた要求メッセージを通信対象となる電気便座一体型便器１０に送信する。
【００３０】
電気便座一体型便器１０の通信部３００は、電気便座一体型便器の機器クラスに対応するプロパティ値の設定を要求する設定要求が含まれた要求メッセージを端末装置１２から受信する。通信部３００は、端末装置１２から受信した要求メッセージに含まれたプロパティ情報をもとに、プロパティＩＤおよびプロパティ値を特定する。また、通信部３００は、要求メッセージに含まれたコマンド種別をもとに、プロパティ値に対する操作内容として、プロパティ値の設定要求であることを識別する。これに応じて、通信部３００は、設定要求を制御部３０２に指示するとともに、プロパティＩＤとプロパティ値を制御部３０２に出力する。
【００３１】
制御部３０２は、通信部３００からの設定要求にもとづいて、電気便座一体型便器１０に対する設定を実行する。具体的に説明すると、制御部３０２は、通信部３００からのプロパティＩＤをもとに、設定要求が電気便座部３１０に関するものか、あるいは便器部３１２に関するものかを特定する。また、制御部３０２は、特定した電気便座部３１０あるいは便器部３１２に対して、プロパティＩＤのプロパティ値にもとづいた設定を実行する。つまり、制御部３０２は、受信した設定要求をもとに、電気便座部３１０および便器部３１２の少なくとも一方を制御する。具体的な処理は後述する。制御部３０２は、電気便座部３１０あるいは便器部３１２に対する設定が完了した場合、設定が完了したことを通信部３００に通知する。通信部３００は、設定の完了を制御部３０２から通知された場合に、応答メッセージを生成して、応答メッセージを端末装置１２に送信する。
【００３２】
（３）プロパティ値の読み出し
ユーザは、端末装置１２の表示部２０６に表示された画面を見ながら、操作部２０４を使用して、電気便座一体型便器１０から読み出すべきプロパティ情報を入力する。この入力において、電気便座一体型便器１０の機器ＩＤも特定される。処理部２０２は、操作部２０４から受けつけた内容に応じて、電気便座一体型便器１０に対して、プロパティ値の読み出しを要求するための要求メッセージを送信することを通信部２００に指示する。その際、処理部２０２は、操作部２０４から受けつけた機器ＩＤをもとに記憶部２０８の管理テーブルを検索することによって、電気便座一体型便器１０のＩＰアドレスを取得し、これも通信部２００に出力する。
【００３３】
通信部２００は、処理部２０２からの指示に応じて、プロパティ値の読み出しを要求するための要求メッセージを生成する際、処理部２０２から受けつけたＩＰアドレスを送信先のＩＰアドレスに設定する。また、通信部２００は、送信先クラスＩＤに、電気便座一体型便器の機器クラスを設定し、コマンド種別に、プロパティ値の読み出し要求である「Ｇｅｔ」を設定する。さらに、通信部２００は、制御対象となるプロパティＩＤも設定するが、これについては後述する。これに続いて、通信部２００は、電気便座一体型便器の機器クラスに対応するプロパティ値の読み出しを要求する読み出し要求が含まれた要求メッセージを通信対象となる電気便座一体型便器１０に送信する。
【００３４】
電気便座一体型便器１０の通信部３００は、電気便座一体型便器の機器クラスに対応するプロパティ値の読み出しを要求する読み出し要求が含まれた要求メッセージを端末装置１２から受信する。通信部３００は、端末装置１２から受信した要求メッセージに含まれたプロパティ情報をもとに、プロパティＩＤを特定する。また、通信部３００は、要求メッセージに含まれたコマンド種別をもとに、プロパティ値に対する操作内容として、プロパティ値の読み出し要求であることを識別する。これに応じて、通信部３００は、読み出し要求を制御部３０２に指示するとともに、プロパティＩＤを制御部３０２に出力する。
【００３５】
制御部３０２は、電気便座一体型便器１０の動作状態・設定状態の管理を行う。具体的に説明すると、制御部３０２は、通信部３００からのプロパティＩＤをもとに、読み出し要求が電気便座部３１０に関するものか、あるいは便器部３１２に関するものかを特定する。また、制御部３０２は、特定した電気便座部３１０あるいは便器部３１２に対して、プロパティＩＤに対するプロパティ値の出力を要求する。つまり、制御部３０２は、受信した読み出し要求をもとに、電気便座部３１０および便器部３１２の少なくとも一方を制御する。具体的な処理は後述する。制御部３０２は、プロパティ値を受けつけると、プロパティ値を通信部３００に出力する。
【００３６】
通信部３００は、制御部３０２から受けつけたプロパティ値を格納した応答メッセージを生成する。応答メッセージにおける送信元のＩＰアドレスには、電気便座一体型便器１０のＩＰアドレスが設定され、送信先のＩＰアドレスには、端末装置１２のＩＰアドレスが設定される。また、送信元クラスＩＤには、電気便座一体型便器の機器クラスが設定され、プロパティ情報のプロパティＩＤには要求メッセージでのプロパティＩＤが設定される。通信部３００は、応答メッセージを端末装置１２に送信する。このように、通信部３００は、読み出し要求に応じて、電気便座部３１０および便器部３１２の少なくとも一方のプロパティ情報を送信する。
【００３７】
端末装置１２の通信部２００は、電気便座一体型便器１０からの応答メッセージを受信する。通信部２００は、応答メッセージに含まれたプロパティ情報をもとに、プロパティＩＤおよびプロパティ値を特定する。通信部２００は、特定したプロパティＩＤおよびプロパティ値を処理部２０２に出力する。処理部２０２は、例えば、プロパティＩＤおよびプロパティ値を表示部２０６に表示させる。処理部２０２におけるプロパティＩＤおよびプロパティ値に対する処理はこれに限定されない。
【００３８】
（４）状態変化によるイベント通知
制御部３０２は、電気便座用センサ３２４、便器用センサ３３４のそれぞれから受けつけた情報を監視する。制御部３０２は、監視している情報が変化した場合、変化した情報に対するプロパティＩＤおよびプロパティ値を特定する。つまり、制御部３０２は、電気便座部３１０および便器部３１２の少なくとも一方における状態の変化を受けつける。これは、電気便座部３１０および便器部３１２では、内部異常状態の管理をしており、異常が発生した場合、異常に関する情報を制御部３０２に通知することに相当する。制御部３０２は、プロパティＩＤおよびプロパティ値を通信部３００に出力する。このプロパティＩＤおよびプロパティ値は異常プロパティ情報あるいは変化情報ともいえる。
【００３９】
通信部３００は、制御部３０２から受けつけたプロパティＩＤおよびプロパティ値を格納したメッセージを生成する。メッセージにおける送信元のＩＰアドレスには、電気便座一体型便器１０のＩＰアドレスが設定され、送信先のＩＰアドレスには、端末装置１２のＩＰアドレスが設定される。また、送信元クラスＩＤには、電気便座一体型便器の機器クラスが設定される。通信部３００は、メッセージを端末装置１２に送信する。
【００４０】
端末装置１２の通信部２００は、電気便座一体型便器１０からのメッセージを受信する。通信部２００は、メッセージに含まれたプロパティ情報をもとに、プロパティＩＤおよびプロパティ値を特定する。通信部２００は、特定したプロパティＩＤおよびプロパティ値を処理部２０２に出力する。処理部２０２は、例えば、プロパティＩＤおよびプロパティ値を表示部２０６に表示させる。処理部２０２におけるプロパティＩＤおよびプロパティ値に対する処理はこれに限定されない。
【００４１】
（５）プロパティ情報の具体例
以下では、（２）プロパティ値の設定、（３）プロパティ値の読み出し、（４）状態変化によるイベント通知において処理対象とされるプロパティ情報を具体的に説明する。
図６（ａ）−（ｃ）は、通信システム１００において規定される別のプロパティのデータ構造を示す。図６（ａ）は、電気便座部３１０の機能の関連プロパティである「おしり洗浄水勢プロパティ」、「温水温度プロパティ」を一例として示す。おしり洗浄水勢プロパティは、電気便座部３１０の機能として、おしり洗浄時の水の勢いの強さレベルを設定するためのプロパティである。おしり洗浄機能実行部３２０はおしり洗浄機能を実行する。おしり洗浄機能実行部３２０にはおしり洗浄時の水の勢いの強さレベルが設定される。制御部３０２は、おしり洗浄機能実行部３２０における強さレベルの設定を動作状態・設定状態として管理する。おしり洗浄水勢プロパティは、プロパティ値の読み出し、プロパティ値の設定において使用される。
【００４２】
温水温度プロパティは、電気便座部３１０の機能として、洗浄時の温水温度レベルを設定するためのプロパティである。温水機能実行部３２２は洗浄時の温水を提供する機能を実行する。温水機能実行部３２２には洗浄時の温水温度レベルが設定される。制御部３０２は、温水機能実行部３２２における温水温度レベルの設定を動作状態・設定状態として管理する。温水温度プロパティは、プロパティ値の読み出し、プロパティ値の設定において使用される。
【００４３】
図６（ｂ）は、便器部３１２の機能の関連プロパティである「洗浄水量プロパティ」、「自動便器洗浄プロパティ」を一例として示す。洗浄水量プロパティは、便器部３１２の機能として、便器洗浄時の水量レベルを設定するためのプロパティである。洗浄機能実行部３３０は便器洗浄機能を実行する。洗浄機能実行部３３０には便器洗浄時の水量レベルが設定される。制御部３０２は、洗浄機能実行部３３０における水量レベルの設定を動作状態・設定状態として管理する。洗浄水量プロパティは、プロパティ値の読み出し、プロパティ値の設定において使用される。
【００４４】
自動便器洗浄プロパティは、便器部３１２の機能として、便器洗浄を自動的に行う設定の入切を設定するためのプロパティである。自動便器洗浄機能実行部３３２は自動便器洗浄機能を実行する。自動便器洗浄機能実行部３３２には、便器洗浄を自動的に行う設定の入切が設定される。制御部３０２は、自動便器洗浄機能実行部３３２における入切の設定を動作状態・設定状態として管理する。自動便器洗浄プロパティは、プロパティ値の読み出し、プロパティ値の設定において使用される。
【００４５】
図６（ｃ）は、異常プロパティである「電気便座ブロック異常プロパティ」、「便器ブロック異常プロパティ」を一例として示す。電気便座ブロック異常プロパティは、電気便座ブロックのセンサ異常、回路異常を通知するためのプロパティである。電気便座用センサ３２４は、電気便座ブロックのセンサ異常、回路異常を検出する。制御部３０２は、電気便座用センサ３２４における検出結果、つまり異常検出を動作状態・設定状態として管理する。電気便座ブロック異常プロパティは、状態変化によるイベント通知において使用される。
【００４６】
便器ブロック異常プロパティは、便器ブロックのセンサ異常、回路異常を通知するためのプロパティである。便器用センサ３３４は、便器ブロックのセンサ異常、回路異常を検出する。制御部３０２は、便器用センサ３３４における検出結果、つまり異常検出を動作状態・設定状態として管理する。電気便座ブロック異常プロパティは、状態変化によるイベント通知において使用される。
【００４７】
本開示における装置、システム、または方法の主体は、コンピュータを備えている。このコンピュータがプログラムを実行することによって、本開示における装置、システム、または方法の主体の機能が実現される。コンピュータは、プログラムにしたがって動作するプロセッサを主なハードウェア構成として備える。プロセッサは、プログラムを実行することによって機能を実現することができれば、その種類は問わない。プロセッサは、半導体集積回路（ＩＣ）、またはＬＳＩ（Ｌａｒｇｅ  Ｓｃａｌｅ  Ｉｎｔｅｇｒａｔｉｏｎ）を含む１つまたは複数の電子回路で構成される。複数の電子回路は、１つのチップに集積されてもよいし、複数のチップに設けられてもよい。複数のチップは１つの装置に集約されていてもよいし、複数の装置に備えられていてもよい。プログラムは、コンピュータが読み取り可能なＲＯＭ、光ディスク、ハードディスクドライブなどの非一時的記録媒体に記録される。プログラムは、記録媒体に予め格納されていてもよいし、インターネット等を含む広域通信網を介して記録媒体に供給されてもよい。
【００４８】
以上の構成による通信システム１００の動作を説明する。図７は、通信システム１００による通信手順を示すシーケンス図である。端末装置１２は、機器ＩＤプロパティの要求メッセージを電気便座一体型便器１０、他機器１４にブロードキャスト送信する（Ｓ１０、Ｓ１２）。電気便座一体型便器１０は機器ＩＤプロパティの応答メッセージを端末装置１２に送信する（Ｓ１４）。端末装置１２は電気便座一体型便器１０の機器ＩＤ等を登録する（Ｓ１６）。端末装置１２は設定要求メッセージを電気便座一体型便器１０に送信する（Ｓ１８）。電気便座一体型便器１０は設定応答メッセージを端末装置１２に送信する（Ｓ２０）。端末装置１２は読み出し要求メッセージを電気便座一体型便器１０に送信する（Ｓ２２）。電気便座一体型便器１０は読み出し応答メッセージを端末装置１２に送信する（Ｓ２４）。
【００４９】
図８（ａ）−（ｂ）は、通信システム１００による別の通信手順を示すシーケンス図であり、これは（２）プロパティ値の設定の手順に相当する。図８（ａ）は、設定要求が電気便座部３１０に関する場合の手順を示す。端末装置１２は、設定要求を受けつける（Ｓ５０）。端末装置１２は、設定要求メッセージを制御部３０２に出力する（Ｓ５２）。制御部３０２は設定要求を電気便座部３１０に出力し（Ｓ５４）、電気便座部３１０は設定応答を制御部３０２に出力する（Ｓ５６）。制御部３０２は、設定応答メッセージを端末装置１２に出力する（Ｓ５８）。
【００５０】
図８（ｂ）は、設定要求が便器部３１２に関する場合の手順を示す。端末装置１２は、設定要求を受けつける（Ｓ１００）。端末装置１２は、設定要求メッセージを制御部３０２に出力する（Ｓ１０２）。制御部３０２は設定要求を便器部３１２に出力し（Ｓ１０４）、便器部３１２は設定応答を制御部３０２に出力する（Ｓ１０６）。制御部３０２は、設定応答メッセージを端末装置１２に出力する（Ｓ１０８）。
【００５１】
図９（ａ）−（ｂ）は、通信システム１００によるさらに別の通信手順を示すシーケンス図であり、これは（３）プロパティ値の読み出しの手順に相当する。図９（ａ）は、読み出し要求が電気便座部３１０に関する場合の手順を示す。端末装置１２は、読み出し要求を受けつける（Ｓ１５０）。端末装置１２は、読み出し要求メッセージを制御部３０２に出力する（Ｓ１５２）。制御部３０２は読み出し要求を電気便座部３１０に出力し（Ｓ１５４）、電気便座部３１０は読み出し応答を制御部３０２に出力する（Ｓ１５６）。制御部３０２は、読み出し応答メッセージを端末装置１２に出力する（Ｓ１５８）。
【００５２】
図９（ｂ）は、読み出し要求が便器部３１２に関する場合の手順を示す。端末装置１２は、読み出し要求を受けつける（Ｓ２００）。端末装置１２は、読み出し要求メッセージを制御部３０２に出力する（Ｓ２０２）。制御部３０２は読み出し要求を便器部３１２に出力し（Ｓ２０４）、便器部３１２は読み出し応答を制御部３０２に出力する（Ｓ２０６）。制御部３０２は、読み出し応答メッセージを端末装置１２に出力する（Ｓ２０８）。
【００５３】
これまでは、端末装置１２が、ＥＣＨＯＮＥＴ  Ｌｉｔｅ（登録商標）に対応し、ルータ１６を介して電気便座一体型便器１０と通信を実行している。しかしながら、端末装置１２が、ＥＣＨＯＮＥＴ  Ｌｉｔｅ（登録商標）に対応しなくてもよい。以下では、そのような場合の構成を説明する。図１０は、変形例に係る通信システム１００の構成を示す。通信システム１００は、電気便座一体型便器１０、端末装置１２、他機器１４、ルータ１６、ＨＥＭＳ制御装置１８、サーバ２０を含む。端末装置１２はＨＥＭＳ制御装置１８と通信し、ＨＥＭＳ制御装置１８は電気便座一体型便器１０と通信する。この場合、電気便座一体型便器１０とＨＥＭＳ制御装置１８との間において、ＥＣＨＯＮＥＴ  Ｌｉｔｅ（登録商標）が使用される。端末装置１２はサーバ２０と通信し、サーバ２０は電気便座一体型便器１０と通信する。この場合、電気便座一体型便器１０とサーバ２０との間において、ＥＣＨＯＮＥＴ  Ｌｉｔｅ（登録商標）が使用される。
【００５４】
本実施例によれば、電気便座一体型便器の機器クラスに対応するプロパティ情報の設定を要求する設定要求を受信するので、電気便座一体型便器１０をネットワーク連携させることができる。また、電気便座一体型便器の機器クラスに対応するプロパティ情報の読み出しを要求する読み出し要求を受信するので、電気便座一体型便器１０をネットワーク連携させることができる。また、電気便座一体型便器１０がネットワーク連携されるので、ネットワークを通じて、電気便座一体型便器１０の機能の状態確認・設定したり、通知したりすることができる。また、電気便座一体型便器の機器クラスを規定するので、電気便座関連情報、便器関連情報をプロパティとして管理できる。
【００５５】
また、設定要求をもとに、電気便座部３１０および便器部３１２の少なくとも一方を制御するので、電気便座部３１０および便器部３１２の少なくとも一方をネットワーク経由で制御できる。また、外部機器は、電気便座一体型便器の機器クラスのプロパティを通じて、電気便座関連情報、便器関連情報を設定できる。また、読み出し要求をもとに、電気便座部３１０および便器部３１２の少なくとも一方のプロパティの情報を送信するので、電気便座部３１０および便器部３１２の少なくとも一方のプロパティの情報をネットワーク経由で取得できる。また、外部機器は、電気便座一体型便器の機器クラスのプロパティを通じて、電気便座関連情報、便器関連情報を取得できる。
【００５６】
また、電気便座部３１０および便器部３１２の少なくとも一方における状態の変化に関する変化情報を送信するので、状態の変化をネットワーク経由で取得できる。また、外部機器は、電気便座一体型便器の機器クラスのプロパティを通じて、電気便座関連情報、便器関連情報の状態変化値を取得できる。また、電気便座一体型便器の機器クラスに対応するプロパティ情報の設定を要求する設定要求を送信するので、電気便座一体型便器１０をネットワーク連携させることができる。また、電気便座一体型便器の機器クラスに対応するプロパティ情報の読み出しを要求する読み出し要求を送信するので、電気便座一体型便器１０をネットワーク連携させることができる。
【００５７】
本発明の一態様の概要は、次の通りである。本発明のある態様の電気便座一体型便器１０は、電気便座部３１０と便器部３１２とが一体となった電気便座一体型便器１０であって、所定の通信プロトコルにしたがって、通信対象となる装置との通信を行う通信部３００を備える。通信部３００は、電気便座一体型便器の機器クラスに対応するプロパティの情報の設定を要求する設定要求、あるいは電気便座一体型便器の機器クラスに対応するプロパティの情報の読み出しを要求する読み出し要求を通信対象となる装置から受信する。
【００５８】
通信部３００は読み出し要求を受信し、通信部３００は、通信部３００において受信した読み出し要求をもとに、電気便座部３１０および便器部３１２の少なくとも一方のプロパティの情報を送信してもよい。
【００５９】
電気便座部３１０および便器部３１２の少なくとも一方を制御する制御部３０２をさらに備えてもよい。
【００６０】
通信部３００は設定要求を受信し、制御部３０２は、通信部３００において受信した設定要求をもとに、電気便座部３１０および便器部３１２の少なくとも一方を制御してもよい。
【００６１】
制御部３０２は、電気便座部３１０および便器部３１２の少なくとも一方における状態の変化を受けつけ、通信部３００は、制御部３０２が受けつけた状態の変化に関する変化情報を送信してもよい。
【００６２】
本発明の別の態様は、通信装置である。この装置は、電気便座部３１０と便器部３１２とが一体となった電気便座一体型便器１０に接続可能な通信装置であって、所定の通信プロトコルにしたがって、通信対象となる装置との通信を行う通信部３００を備える。通信部３００は、電気便座一体型便器の機器クラスに対応するプロパティの情報の設定を要求する設定要求、あるいは電気便座一体型便器の機器クラスに対応するプロパティの情報の読み出しを要求する読み出し要求を通信対象となる装置から受信する。
【００６３】
本発明のさらに別の態様もまた、通信装置である。この装置は、所定の通信プロトコルにしたがって、電気便座部３１０と便器部３１２とが一体となった電気便座一体型便器１０に接続に接続された装置であって、かつ通信対象となる装置との通信を行う通信部２００を備える。通信部２００は、電気便座一体型便器の機器クラスに対応するプロパティの情報の設定を要求する設定要求、あるいは電気便座一体型便器の機器クラスに対応するプロパティの情報の読み出しを要求する読み出し要求を通信対象となる装置に送信する。
【００６４】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００６５】
本実施例において、電気便座部３１０に関するプロパティと、便器部３１２に関するプロパティとには異なったプロパティＩＤを付与することによって、異なったプロパティとして監視している。しかしながらこれに限らず例えば、電気便座部３１０に関するプロパティと、便器部３１２に関するプロパティとを一体化したプロパティとして定義してもよい。例えば、おしり洗浄水勢かつ自動便器洗浄を１つのプロパティとして管理してもよい。本変形例によれば、プロパティを効率的に定義できる。
【符号の説明】
【００６６】
１０  電気便座一体型便器、  １２  端末装置（通信装置）、  １４  他機器、  １６  ルータ、  １８  ＨＥＭＳ制御装置（通信装置）、  ２０  サーバ（通信装置）、  １００  通信システム、  ２００  通信部、  ２０２  処理部、  ２０４  操作部、  ２０６  表示部、  ２０８  記憶部、  ３００  通信部、  ３０２  制御部、  ３１０  電気便座部、  ３１２  便器部、  ３２０  おしり洗浄機能実行部、  ３２２  温水機能実行部、  ３２４  電気便座用センサ、  ３３０  洗浄機能実行部、  ３３２  自動便器洗浄機能実行部、  ３３４  便器用センサ。
【図１】
2019090169.tif 000003
【図２】
2019090169.tif 000004
【図３】
2019090169.tif 000005
【図４】
2019090169.tif 000006
【図５】
2019090169.tif 000007
【図６】
2019090169.tif 000008
【図７】
2019090169.tif 000009
【図８】
2019090169.tif 000010
【図９】
2019090169.tif 000011
【図１０】
2019090169.tif 000012